(57)【特許請求の範囲】
【請求項１】
以下のように構成して畑の周囲に設置し、猿、猪、ハクビシン、アナグマなどの害獣の侵入を防止するネット式電気柵    （ア）以下のような構造の支柱を、畑の周囲の地表に数ｍ間隔に立設する。          （１）金属製パイプに「猿の足の親指の先から中指の先まで足が地面に触れる                面に沿った距離（以後これを「猿の足の長さ」と呼ぶ。）」より大きい                幅の長方形の板を、その長方形の幅を２等分する中心線が金属製パイプ                に接するように、また（２）で述べる金属製パイプの先端に被せた絶縁                物製キャップの下端の下方に近接して長方形の板の上端が位置するよう                に、取り付ける。          （２）長方形の板を取り付けた金属製パイプを地表に立設した後に、金属製パ                イプの先端に、その金属製パイプの外径より大きい内径を持つ絶縁物製                キャップを被せる。    （イ）（ア）の支柱に張設する電気柵ネットを、以下のような構成とする。          （１）最上部の構造：  繊維に金属線を撚り込んだ撚線で作られた導電性ロー                プで、これを（２）で述べる上部導電帯の最上部の網目に通しておく。          （２）上から２番目の部位の構造：  繊維に金属線を撚り込んだ撚線で作られ                た網により、電気柵ネットの長さ方向に帯状に形成された導電域（以後                これを「上部導電帯」と呼ぶ。）          （３）上から３番目の部位の構造：  絶縁物製の撚線で作られた網により、電                気柵ネットの長さ方向に帯状に形成された絶縁域（以後これを「絶縁帯                」と呼ぶ。）          （４）上から４番目の部位の構造：  上部導電帯と同じ構造の導電域（以後こ                れを「下部導電帯」と呼ぶ。）          （５）上から５番目の部位の構造：  上部導電帯と同じ構造だが、撚線に撚り                込んだ金属線をより太くして猿に噛み切られないようにした網により、                電気柵ネットの長さ方向に帯状に形成された導電域（以後これを「補強                帯」と呼ぶ。）。なおこの補強帯の幅方向の中央の網目に、補強帯を地                面に固定するためのロープを通しておく。          （６）最下部の構造：  ロープで、これを補強帯の最下部の網目に通しておく                。    （ウ）（ア）の支柱に、（イ）の電気柵ネットを以下のように張設する。          （１）「電気柵が完成した時に電気柵ネットで囲まれている区画（以後この区                画を単に「区画」と呼ぶ。）」の内側に支柱が存在するように、電気柵                ネットを支柱に張設する。          （２）上部導電帯が金属製パイプの先端に被せてある絶縁物製キャップのみに                接触し、金属製パイプに接触しないように、上部導電帯の最上部の網目                に通してある導電性ロープを絶縁物製キャップに固定する。          （３）下部導電帯を支柱の金属製パイプに固定する。          （４）補強帯が地面に到着したらＬ字型に折り曲げて、補強帯のおよそ半分の                幅の部分を支柱に張設し、残りのおよそ半分の幅の部分を区画の外側の                地表に敷設する。          （５）補強帯の幅方向の中央の網目に通してあるロープを、地表に数十ｃｍの                間隔で留め具により固定する。          （６）補強帯の末端の網目に通してあるロープを、地表に数十ｃｍの間隔で留                め具により固定する。    （エ）区画の内側に電気柵ネットにより、地表から１ｍ程度の高さまで寒冷紗のよう          な不透明シートを張設する。    （オ）電気柵ネットの導電性ロープを衝撃高圧電源のプラス側に、地中に打ち込んだ          接地極を衝撃高圧電源のマイナス側に接続する。
【請求項２】
金属製パイプに長方形の板を取り付けず、以下のような肉厚パイプを金属製パイプに差し込み、長方形の板と同じ位置に固定した請求項１に記載の電気柵
（ア）  肉厚パイプの内径が、金属製パイプの外径より大きい。
（イ）  肉厚パイプの外径の半周が、猿の足の長さより大きい。
（ウ）  肉厚パイプの長さが、長方形の板の長さと同じ。
【請求項３】
金属製パイプに長方形の板を取り付けず、以下のようにして支柱の中間部の電気柵ネットを支柱から離隔させた請求項１に記載の電気柵
（ア）  １本又は複数本の棒体を、直交クランプのような固定器具で支柱に区画の外側に向かって水平に固定する。
（イ）  その棒体の先端に電気柵ネットを固定する。
【発明の詳細な説明】
【発明の詳細な説明】
【技術分野】
【０００１】本発明は、畑の周囲に設置して猿、猪、ハクビシン、アナグマなど（以後これらを「害獣」と呼ぶ。）の侵入を防止するネット式電気柵に関するものである。
【背景技術】
【０００２】近年山間地域の畑において害獣の侵入による被害が多発しているため、畑の作物の周囲に電気柵を設置することが行なわれている。図１に示す従来のネット式電気柵は、以下のような構成で畑に侵入しようとする害獣を感電させて撃退するものである。このような従来のネット式電気柵に関する技術について述べた文献として、実願平４−７６８９３がある。
（１）畑の周囲の地表に、数ｍ間隔に絶縁物製の支柱１を立設する。
（２）絶縁物製の撚線で作られた網により電気柵ネット２の長さ方向に帯状に形成された絶縁帯２ｂと、繊維に金属線を撚り込んだ撚線で作られた網により電気柵ネット２の長さ方向に帯状に形成された導電帯２ａを、交互に配置した電気柵ネット２を支柱１に張設する。電気柵ネット２の最下部の網目に通してあるロープ２ｃを留め具４により地面に固定する。
（３）下から数えて奇数番目の導電帯２ａを、６，０００Ｖ〜７，０００Ｖの衝撃高圧を発生する衝撃高圧電源３のプラス側に接続し、下から数えて偶数番目の導電帯２ａと地中に打ち込んだ接地極５を、衝撃高圧電源３のマイナス側に接続する。【０００３】図１に示す従来のネット式電気柵には、以下のような問題があった。
（１）人体への安全上の配慮から、導電帯２ａに印加される衝撃高圧は連続印加ではなく、約１秒間の間隔で約０．１秒間だけ印加される。運動能力に優れた猿は素早く電気柵ネット２をよじ登るので、衝撃高圧電源３のプラス側に接続された導電帯２ａと、マイナス側に接続された導電帯２ａを同時に掴んでも、短時間の内に次の動作に移ってその状態は壊れてしまう。このように猿が短時間だけ感電する状況にあっても、そのタイミングが約１秒間隔で発生する約０．１秒間の通電時間に一致しなければ、猿は感電せずに電気柵ネット２をよじ登り乗り越えてしまう。
（２）撓み易い電気柵ネット２に比べて支柱１は掴み易いので、猿は短時間でよじ登れる。約１秒間の非通電時間のうちに猿がこの支柱１を掴んでよじ登り、感電せずに電気柵を乗り越えてしまう。
（３）猿は電気柵ネット２の最下部の絶縁帯２ｂの撚線を噛み切って、感電せずに侵入してしまう。また猿が最下部の網目に通してあるロープ２ｃを噛み切ると、ロープ２ｃに緩みができるので、猿はロープ２ｃを持ち上げて電気柵ネット２の下を潜り抜けてしまう。猿が噛み切った場所から、猪やハクビシンも侵入してしまう。
（４）電気柵ネット２の最下部にあるロープ２ｃは留め具４により地面に固定されるが、地面に凹凸がある、固定されたロープ２ｃが経年変化で緩む、ロープ２ｃを１ヶ所で持ち上げると付近の緩みがそこに集積するなどの理由により、地面とロープ２ｃの間に隙間ができるので、猫と同様に頭が入ればその隙間を通過できるハクビシンがそこから侵入してしまう。
（５）電気柵ネット２の最下部にあるロープ２ｃは留め具４により地面に固定されるが、アナグマは地面を掘って電気柵ネット２の下を潜り抜けてしまう。そしてアナグマが掘った穴からハクビシンや子供の猿も侵入してしまう。
（６）電気柵付近の地表に生えた草が成長して電気柵ネット２の導電帯２ａに接触すると、漏電により衝撃高圧が下がってしまうので、電気柵の性能を維持するためには電気柵ネット２付近の草刈りを頻繁に行わなければならない。
（７）猿が電気柵ネット２をよじ登る間に感電させるしくみなので、電気柵ネット２の高さは「猿がジャンプして手が届く最大の高さ（約２ｍ）」以上でなければならない。そのために支柱１の長さは、地中に打ち込む長さ約８０ｃｍを含めると３ｍ近くになるので、ハンマーを使って支柱１を立設するのが困難である。
【発明の開示】
【発明が解決しようとする課題】
【０００４】そこで本発明が解決しようとする課題は、上記の問題を解決して害獣の侵入を防止する電気柵を提供することにある。
【課題を解決するための手段】
【０００５】上記の課題を解決するために、以下のように電気柵を構成する。図２にその正面図を、図３にその断面図を示す。    （ア）以下のような構造の支柱１を、畑の周囲の地表に数ｍ間隔に立設する。          （１）金属製パイプ１ａに「猿の足の親指の先から中指の先まで足が地面に触                れる面に沿った距離（以後これを「猿の足の長さ」と呼ぶ。）」より大                きい幅の長方形の板１ｃを、その長方形の幅を２等分する中心線が金属                製パイプ１ａに接するように、また（２）で述べる金属製パイプ１ａの                先端に被せた絶縁物製キャップ１ｂの下端の下方に近接して、長方形の                板１ｃの上端が位置するように、取り付ける。          （２）長方形の板１ｃを取り付けた金属製パイプ１ａを地表に立設した後に、                金属製パイプ１ａの先端に、その金属製パイプ１ａの外径より大きい内                径を持つ絶縁物製キャップ１ｂを被せる。    （イ）（ア）の支柱１に張設する電気柵ネット２を、以下のような構成とする。          （１）最上部の構造：  繊維に金属線を撚り込んだ撚線で作られた導電性ロー                プ２ｄで、これを（２）で述べる上部導電帯２ｅの最上部の網目に通し                ておく。          （２）上から２番目の部位の構造：  繊維に金属線を撚り込んだ撚線で作られ                た網により、電気柵ネット２の長さ方向に帯状に形成された導電域（以                後これを「上部導電帯２ｅ」と呼ぶ。）。上部導電帯２ｅの最上部の網                目に導電性ロープ２ｄが通されているので、電気柵ネット２が支柱１に                張設された状態では、導電性ロープ２ｄと上部導電帯２ｅは電気的に常                に接続状態にある。          （３）上から３番目の部位の構造：  絶縁物製の撚線で作られた網により、電                気柵ネット２の長さ方向に帯状に形成された絶縁域（以後これを「絶縁                帯２ｂ」と呼ぶ。）。          （４）上から４番目の部位の構造：  上部導電帯２ｅと同じ構造の導電域（以                後これを「下部導電帯２ｆ」と呼ぶ。）。          （５）上から５番目の部位の構造：  上部導電帯２ｅと同じ構造だが、撚線に                撚り込んだ金属線をより太くして猿に噛み切られないようにした網によ                り、電気柵ネット２の長さ方向に帯状に形成された導電域（以後これを                「補強帯２ｇ」と呼ぶ。）。なおこの補強帯２ｇの幅方向の中央の網目                に、補強帯２ｇを地面に固定するためのロープ２ｈを通しておく。          （６）最下部の構造：  ロープ２ｃで、これを補強帯２ｇの最下部の網目に通                しておく。    （ウ）（ア）の支柱１に、（イ）の電気柵ネット２を以下のように張設する。          （１）「電気柵が完成した時に電気柵ネット２で囲まれている区画（以後この                区画を単に「区画」と呼ぶ。）」の内側に支柱１が存在するように、電                気柵ネット２を支柱１に張設する。          （２）上部導電帯２ｅが、金属製パイプ１ａの先端に被せてある絶縁物製キャ                ップ１ｂのみに接触し金属製パイプ１ａに接触しないように、上部導電                帯２ｅの最上部の網目に通してある導電性ロープ２ｄを、絶縁物製キャ                ップ１ｂに固定する。          （３）下部導電帯２ｆを支柱１の金属製パイプ１ａに固定する。金属製パイプ                １ａは地中に打ち込まれているので、大地と接触している。一方衝撃高                圧電源３のマイナス側は地中に打ち込まれた接地極５を通じて大地に接                続されているので、下部導電帯２ｆを支柱１の金属製パイプ１ａに固定                することにより、下部導電帯２ｆは衝撃高圧電源３のマイナス側に接続                されることになる。          （４）補強帯２ｇが地面に到着したらＬ字型に折り曲げて、補強帯２ｇのおよ                そ半分の幅の部分を支柱１に張設し、残りのおよそ半分の幅の部分を区                画の外側の地表に敷設する。          （５）補強帯２ｇの幅方向の中央の網目に通してあるロープ２ｈを、地表に数                十ｃｍの間隔で留め具４により固定する。          （６）補強帯２ｇの末端の網目に通してあるロープ２ｃを、地表に数十ｃｍの                間隔で留め具４により固定する。    （エ）区画の内側に電気柵ネット２により、地表から１ｍ程度の高さまで寒冷紗６の          ような不透明シートを張設する。    （オ）電気柵ネット２の導電性ロープ２ｄを衝撃高圧電源３のプラス側に、地中に打          ち込んだ接地極５を衝撃高圧電源３のマイナス側に接続する。
【発明の効果】
【０００６】このような構成の電気柵にすることにより、以下のような効果が発生する。      （１）猿が電気柵ネット２をよじ登って乗り越える時に、数回の動作に亘って左手            又は右手で最上部の導電性ロープ２ｄ又は上部導電帯２ｅを掴み続けなけれ            ばならない。また下部導電帯２ｆは従来の電気柵ネット２の導電帯２ａの数            倍の幅があるので、その時に猿は数回の動作に亘って左足又は右足で下部導            電帯２ｆを掴み続けなければならない。したがって猿は（衝撃高圧電源３の            プラス側に接続された）最上部の導電性ロープ２ｄ又は上部導電帯２ｅと、            （衝撃高圧電源３のマイナス側に接続された）下部導電帯２ｆの双方に、衝            撃高圧の非通電時間（約１秒）以上の時間に亘って触れ続けることになり感            電してしまうので、電気柵ネット２をよじ登って乗り越えることが困難とな            る。      （２）猿が電気柵を乗り越えようとして支柱１に飛びついて、その先端を手で掴み            足で支柱１の中間部を掴もうとしても、支柱１の中間部に取り付けた長方形            の板１ｃの幅は猿の足の長さより大きいので、猿が足で支柱１を掴めず、支            柱１の先端にある（衝撃高圧電源３のプラス側に接続された）導電性ロープ            ２ｄ又は上部導電帯２ｅと、支柱１の中間部にある（衝撃高圧電源３のマイ            ナス側に接続された）下部導電帯２ｆの双方に、衝撃高圧の非通電時間（約            １秒）以上の時間に亘って触れ続けることになり感電してしまうので、非通            電時間内に猿が支柱１を登って電気柵を乗り越えることが困難となる。      （３）補強帯２ｇの撚線は太い金属線を撚り込んで、猿に噛み切られ難くしてある            ので、猿はこれを噛み切って侵入することが困難である。また猿がロープ２            ｈを噛み切っても、補強帯２ｇがＬ字型に折れ曲がっているので、ロープ２            ｈを持ち上げて電気柵ネット２の下を潜り抜けることができない。      （４）地表に生えた草７が上部導電帯２ｅに到達するまで漏電が起こらないので、            草刈りの頻度は少なくてよい。      （５）したがって地表に敷設した補強帯２ｇは多くの場合地表に生えている草７に            覆われていることになり、アナグマが補強帯２ｇの末端を見つけて、そこか            ら地面を掘って補強帯２ｇの下を潜り抜け区画の内側に侵入するのは困難で            ある。同様にハクビシンが補強帯２ｇの末端を見つけて、補強帯２ｇと地面            の隙間を通って区画の内側に侵入するのも困難である。      （６）地表から１ｍ程度の高さまで寒冷紗６のような不透明シートを張設している            ので、猪の視線の高さは約７０ｃｍだからこの不透明シートにより猪は区画            の内側を覗けない。猪は臆病なのでその習性により、内側が見えない場所へ            の侵入を躊躇する。【０００７】金属製パイプ１ａに長方形の板１ｃを取り付けず、（図４の断面図に示すように）内径が金属製パイプ１ａの外径より大きく、外径の半周が猿の足の長さより大きく、長方形の板１ｃと同じ長さの肉厚パイプ１ｄを、金属製パイプ１ａに差し込んで長方形の板１ｃと同じ位置に固定すれば（固定する手段は、図４に示していない。）、猿が電気柵を乗り越えようとして支柱１に飛びついて、支柱１の先端を手で掴み足でその中間部を掴もうとしても、肉厚パイプ１ｄの直径が太過ぎて猿が足で掴むことができず、乗り越えに時間がかかり過ぎて感電してしまうので、猿が支柱１をよじ登って電気柵を乗り越えることが困難となる。【０００８】金属製パイプ１ａに長方形の板１ｃを取り付けず、（図５の断面図に示すように）以下のようにして支柱１の中間部の電気柵ネット２を支柱１から離隔させれば、猿が電気柵を乗り越えようとして支柱１に飛びついて、支柱１の先端を手で掴み足でその中間部を掴もうとしても、電気柵ネット２が邪魔になって猿が支柱１を足で掴むことができず、乗り越えに時間がかかり過ぎて感電してしまうので、猿が支柱１をよじ登って電気柵を乗り越えることが困難となる。
（ア）  １本又は複数本の棒体１１を、直交クランプ１０のような固定器具で支柱１に区画の外側に向かって水平に固定する。
（イ）  その棒体１１の先端に電気柵ネット２を固定する。（固定する手段は、図５に示していない。）
【発明を実施するための形態】
【０００９】以下に図面を参照して、本発明の実施の形態を説明する。図２の正面図と図３の断面図は、請求項１に記載の電気柵の実施の形態を示す。この電気柵は地表に数ｍ間隔に立設された支柱１、その支柱１に張設された電気柵ネット２、電気柵ネット２により張設された寒冷紗６のような不透明シートにより構成される。なお以下に述べる数値は一例を示すもので、これに限るものではない。
【００１０】支柱１は以下のような構造とする。
（１）金属製パイプ１ａの先端に絶縁物製キャップ１ｂを被せた場合に絶縁物製キャップ１ｂの下端となる位置から下方に１０ｃｍ空けて、長方形の板１ｃを、その長方形の幅を２等分する中心線が金属製パイプ１ａに接するように取り付ける。金属製パイプ１ａを鋼管とし、長方形の板１ｃを鋼板として、溶接により後者を前者に取り付けた後に全体を腐食防止のために溶融亜鉛メッキしたものが適当である。
（２）長方形の板１ｃを取り付けた金属製パイプ１ａを地表に立設し、その先端にその金属製パイプ１ａの外径より大きい内径を持つ絶縁物製キャップ１ｂを被せる。絶縁物製キャップ１ｂは塩化ビニールなどのプラスチック製とし、その長さは４０ｃｍとする。絶縁物製キャップ１ｂには電気柵ネット２の導電性ロープ２ｄを固定するので、固定した導電性ロープ２ｄが滑り落ちないように、（図３に示すように）絶縁物製キャップ１ｂの先端の直径を絞って段差をつけるとか、その表面に多数の突起や環状の突起を設けることが望ましい。支柱１の地上部の長さは、「猿がジャンプして手が届く最大の高さ（約２ｍ）」以上必要なので、金属製パイプ１ａの長さは、地上部２．０ｍ＋地中に埋設される長さ０．８ｍ＝２．８ｍ  程度である。金属製パイプ１ａをハンマーで地中に打ち込んだ後に、その先端に絶縁物製キャップ１ｂを被せることになるが、ハンマーで地中に打ち込む時に金属製パイプ１ａの先端を歪めてしまうと被せることができなくなるので、金属製パイプ１ａの先端に打ち込み用のキャップを被せて打設を行う。それでも打設時に金属製パイプ１ａの先端が歪み、打設後に打ち込み用のキャップが金属製パイプ１ａの先端から抜けなくなることがあるので、絶縁物製キャップ１ｂの内径を打ち込み用のキャップの外径より大きくしておくのが望ましい。
（３）長方形の板１ｃは猿が足で支柱１を掴み難くするための物なので、その幅は猿の足の長さ以上でなければならない。猿の足の長さのデータは公開されていないが１０ｃｍ以下と考えられるので、長方形の板１ｃの幅は余裕を見て１５ｃｍとする。長方形の板１ｃが効果を発揮するには、猿が支柱１に飛びついて絶縁物製キャップ１ｂの先端を掴んだ時、猿の足は長方形の板１ｃの下端より上に無ければならない。猿が地上に立って手を伸ばした時の手の高さを猿の身長（約９０ｃｍ）の１．２倍と仮定すると、長方形の板１ｃの長さは、
猿の身長（約９０ｃｍ）×１．２−猿が掴んだ手の位置から絶縁物製キャップ１ｂの下端までの長さ（３０ｃｍ）−絶縁物製キャップ１ｂの下端と長方形の板１ｃの上端との距離（１０ｃｍ）＝約７０ｃｍ  となる。
（４）猿が支柱１に飛びついた時支柱１を掴み難くするためには、図３に示すように電気柵ネット２の面と長方形の板１ｃの面が直交するように金属製パイプ１ａを立設するのが、最も効果的と思われる。猿が支柱１に飛びつく前に、長方形の板１ｃの存在を確認し難いからである。
（５）金属製パイプ１ａの地面に打ち込む方の端を圧縮して板状にしてから、先端を鋭角に切断して尖らせ、地面に打ち込み易くするのが望ましい。
（６）金属製パイプ１ａの地面に打ち込む方の端から約８０ｃｍの位置に印をつけておき、立設作業時にはこの印まで地面に打ち込むようにすると打ち込み過ぎを防げる。
【００１１】電気柵ネット２は以下のような構造とする。
（１）電気柵ネット２の高さは、「猿がジャンプして手が届く最大の高さ（約２ｍ）」以上必要なので２ｍとする。
（２）電気柵ネット２の最上部の導電性ロープ２ｄの直径は５ｍｍ程度とする。
（３）上部導電帯２ｅの幅は２０ｃｍとする。
（４）絶縁帯２ｂは衝撃高圧に対して漏電が起こらないように、上部導電帯２ｅと下部導電帯２ｆの間の絶縁を保つ働きをする。その幅は２０ｃｍとする。
（５）下部導電帯２ｆが効果を発揮するには、猿が電気柵ネット２をよじ登り、手で上部導電帯２ｅの下端を掴んだ時、猿の足が下部導電帯２ｆの下端より上に無ければならない。猿が地上に立って手を伸ばした時の手の高さを猿の身長（約９０ｃｍ）の１．２倍と仮定すると、下部導電帯２ｆの幅は、
猿の身長（約９０ｃｍ）×１．２−絶縁帯２ｂの幅（２０ｃｍ）＝約９０ｃｍ    となるので、余裕を見て１ｍとする。
（６）補強帯２ｇをＬ字型に折り曲げて半分の幅は鉛直に張設し、残りの半分の幅は区画の外側の地表に敷設する。補強帯２ｇの鉛直部分の幅は、
電気柵ネット２の高さ（２ｍ）−上部導電帯２ｅの幅（２０ｃｍ）−絶縁帯２ｂの幅（２０ｃｍ）−下部導電帯２ｇの幅（１ｍ）＝６０ｃｍ
となる。したがって電気柵ネット２の幅は２．６ｍになる。
（７）網目の形状である正方形や菱形の１辺の長さを網目の大きさと定義すれば、上部導電帯２ｅ、絶縁帯２ｂ、下部導電帯２ｆの網目の大きさは、ハクビシンが通過できないように１０ｃｍ以下が望ましい。補強帯２ｇの網目の大きさは、１箇所喰いちぎられただけではハクビシンが通過できないように、５ｃｍ以下が望ましい。
【００１２】電気柵ネット２を支柱１に以下のように張設する。
（１）補強帯２ｇをＬ字型に折り曲げて半分の幅は鉛直に張設し、残りの半分の幅は区画の外側の地表に敷設するので、区画の内側に支柱１が存在するように電気柵ネット２を支柱１に張設する。
（２）上部導電帯２ｅが絶縁物製キャップ１ｂのみに接触し金属製パイプ１ａに接触しないように、導電性ロープ２ｄを絶縁物製キャップ１ｂに固定する。絶縁物製キャップ１ｂの長さを４０ｃｍ、上部導電帯２ｅの幅を２０ｃｍとすると、絶縁物製キャップ１ｂの先端から１０ｃｍ以内の位置に導電性ロープ２ｄを固定する。図３のように絶縁物製キャップ１ｂの先端の直径を絞って段差をつける場合は、先端から１０ｃｍ以内の位置で段差をつける。
（３）下部導電帯２ｆを支柱１の金属製パイプ１ａに固定する。この固定により下部導電帯２ｆと金属製パイプ１ａを電気的に接続するので、両者がある程度の圧力で接触するように、下部導電帯２ｆを金属製パイプ１ａに結束バンドなどで緊縛する。
（４）補強帯２ｇが地面に到着したらＬ字型に折り曲げて、補強帯２ｇのおよそ半分の幅の部分を支柱１に張設し、残りのおよそ半分の幅の部分を区画の外側の地表に敷設する。支柱１が地表に一直線に並んでいる場合は敷設に問題は無いが、（図６の斜視図に示すように）地表に補強帯２ｇを固定しているロープ２ｈを考えると、そのロープ２ｈがある支柱１で（区画の内側から見て）１８０度以下の角度で曲がっている場合は、その支柱１付近では地表に敷設する補強帯２ｇの長さが不足するため、補強帯２ｇは長さ方向に延びて幅方向に縮む。すなわち支柱１が地表に一直線に並んでいる場合は地表を覆う補強帯２ｇの網目は正方形だが、この場所では補強帯２ｇの長さ方向に延びた菱形になる。補強帯２ｇが幅方向に縮んだことで覆えなくなった地表は、図６のように金網８で覆って補い、その金網８を留め具４で地表に固定する。（図６には留め具４は示していない。）金網８の網目の大きさは、補強帯２ｇの網目の大きさに近い方がよい。
（５）補強帯２ｇの幅方向の中央にあるロープ２ｈを、地表に数十ｃｍの間隔で留め具４により固定する。従来のネット式電気柵のようにこの固定によって害獣の潜り抜けを防ぐのではなく、単に補強帯２ｇが草の繁茂によって地面から浮き上がらないように固定するだけだから、留め具４の長さは２０ｃｍ程度とする。
（６）末端のロープ２ｃを、地表に数十ｃｍの間隔で留め具４により固定する。上記と同じ理由で、留め具４の長さは２０ｃｍ程度とする。
（７）電気柵を設置する前に地表の草を刈っておけば、その後草の芽は地表に敷設された補強帯２ｇの網目を通ってから枝葉を広げるから、草７は補強帯２ｇを持ち上げずに補強帯２ｇを覆い隠すので好都合である。しかし草刈り直後は補強帯２ｇがむき出しになるので、刈った草で覆って見えないようにする。なおアナグマが地表にある補強帯２ｇの末端を見分け難いように、補強帯２ｇや末端のロープ２ｃの色を地面と同じ色にするのは効果が期待できる。
【００１３】寒冷紗６のような不透明シートを結束バンドなどで電気柵ネット２に固定し、区画の内側に地表から１ｍ程度の高さまで張設する。寒冷紗には５０％遮光、７０％遮光、９０％遮光などの種類があるが、９０％遮光が最適である。
【００１４】電気柵ネット２の導電性ロープ２ｄを衝撃高圧電源３のプラス側に、地中に打ち込んだ接地極５を衝撃高圧電源３のマイナス側に接続する。衝撃高圧電源３のプラス側の配線は、ネオン電線のように高電圧に耐えられる電線を使用する。
【００１５】草刈り時にチップソー式草刈り機を使うと、草刈り機の刃が電気柵ネット２に触れた時に切断してしまうので、ナイロンコード式草刈り機を使うべきである。また草刈り機のナイロンコードにより寒冷紗６のような不透明シートが損傷されないように、予め地表から２０ｃｍ程度の高さに下端が来るように張設しておくほうが良い。猪の視点の高さは約７０ｃｍなので、このように張設しても猪は依然として区画の内側を見ることができずその効果に変わりはない。
【００１６】区画の外側の草７を刈る場合、草７を根元から刈ると地表を覆っている補強帯２ｇに草刈り機のナイロンコードが触れて、補強帯２ｇがめくれてしまう。地表から２０ｃｍ程度の高さで刈るようにすれば、ナイロンコードが地表を覆っている補強帯２ｇに触れないので上記のトラブルを防げる。また補強帯２ｇの網目の大きさは５ｃｍ以下なので、草刈り機のナイロンコードは区画の内側にある寒冷紗６のような不透明シートに触れてこれを損傷することは無く、鉛直に張設した補強帯２ｇのみに触れる。しかしながら補強帯２ｇの撚線には太い金属線が撚り込んであるので、草刈り機のナイロンコードによって損傷を受けることは無い。
【００１７】区画の内側の草７を刈る場合、草７を根元から刈るようにする。草７を根元から刈れば、草刈り機のナイロンコードは２０ｃｍ以上の高さにある寒冷紗６のような不透明シートに触れてこれを損傷することは無く、鉛直に張設した補強帯２ｇのみに触れる。
【００１８】図７のように、地表に草が生えることを防止する防草シートを電気柵と組み合わせて敷設すれば、草７は電気柵から防草シートの幅だけ離れた場所にしか生えないので、草刈り機により電気柵ネット２や寒冷紗６のような不透明シートに損傷を与えることは無くなる。まず区画の外側の地表を幅３０ｃｍ、区画の内側の地表を幅６０ｃｍで覆うように防草シート（以後この防草シートを「内側の防草シート９ａ」と呼ぶ。）を敷設してから、請求項１に記載の電気柵を設置する。その後区画の外側の地表を幅９０ｃｍで覆うように防草シート（以後この防草シートを「外側の防草シート９ｂ」と呼ぶ。）を敷設すれば、区画の外側の地表に敷設された補強帯２ｇは外側の防草シート９ｂに覆われてしまうので、アナグマが補強帯２ｇの末端を見つけて、そこから地面を掘って補強帯２ｇの下を潜り抜け区画の内側に侵入するのは困難である。
【００１９】図４の断面図は、請求項２に記載の電気柵の実施の形態を示す。肉厚パイプ１ｄとしては、凍結防止用水道パイプが適当である。凍結防止用水道パイプは、ポリエチレン製パイプを発泡ウレタンで覆い、外側をポリエチレン被覆で包んだものである。猿の足の長さを１０ｃｍと仮定すれば、肉厚パイプ１ｄの直径は６．４ｃｍ以上となるので、余裕を見て１０ｃｍ程度とする。肉厚パイプ１ｄの長さは、長方形の板１ｃと同じく７０ｃｍとする。なお段落００１０の（２）に述べたと同じ理由で、肉厚パイプ１ｄの内径は、金属製パイプ１ａを打設する時の打ち込み用キャップの外径より大きくしておくのが望ましい。
【００２０】図５の断面図は、請求項３に記載の電気柵の実施の形態を示す。棒体１１としては、溶融亜鉛メッキした鋼管が適当である。支柱１の中間部において、電気柵ネット２を支柱１から最大で２０ｃｍ程度離隔させる。棒体１１に電気柵ネット２を固定する手段（図５には示していない。）としては、既存の電線式電気柵において裸電線を絶縁物製の支柱に固定する電線式電気柵用クリップが適当である。
【００２１】段落００１０の（２）で述べたように、支柱１の金属製パイプ１ａの長さは２．８ｍ程度となるので、ハンマーを使って打設するのは困難である。しかしながら図８のように支柱１を二重管構造にすればその立設が容易となる。すなわち打設の容易な短い金属製パイプ１ｅをまず打設し、その短い金属製パイプ１ｅにその外径より大きい内径を持つ金属製パイプ１ａを差し込めばよい。支柱１の金属製パイプ１ａの地上部の長さが２．０ｍ程度の場合は、金属製パイプ１ｅの長さは、  地上部１ｍ＋地中部０．８ｍ＝１．８ｍ  程度となる。これは、ハンマーを使って容易に打設できる長さである。支柱１を二重管構造にすると、金属製パイプ１ａは地中に打ち込まれていないので、下部導電帯２ｆを金属製パイプ１ａに固定しても下部導電帯２ｆが衝撃高圧電源３のマイナス側に接続されたことにはならない。そこで新たに接地極５を地中に打ち込んで、その接地極５と下部導電帯２ｆを配線で接続しなければならない。金属製パイプ１ｅについては、以下のようにするのが望ましい。
（１）地面に打ち込み易いように、金属製パイプ１ｅの先端を圧縮して板状にしてから鋭角に切断して尖らせておく。
（２）金属製パイプ１ｅの地面に打ち込む方の端から約８０ｃｍの位置に印をつけておき、立設作業時にはこの印まで地面に打ち込むようにすると打ち込み過ぎを防げる。
（３）金属製パイプ１ｅをハンマーで地中に打ち込む時にその先端を歪めてしまうと金属製パイプ１ａの差し込みができなくなるので、金属製パイプ１ｅの先端に打ち込み用のキャップを被せて打設を行う。それでも打設時に金属製パイプ１ｅの先端が歪み、打設後に打ち込み用のキャップが金属製パイプ１ｅの先端から抜けなくなることがあるので、金属製パイプ１ａの内径を打ち込み用のキャップの外径より大きくしておく。
【００２２】以上詳しく述べたように、本発明によれば運動能力に優れる猿に対して侵入を確実に防止できる電気柵を提供できる。併せて猪、アナグマ、ハクビシンなどの侵入も防止できるので、猪やアナグマの侵入した箇所から猿やハクビシンが侵入することもない。
【図面の簡単な説明】
【００２３】
【図１】従来のネット式電気柵の正面図である。
【図２】請求項１に記載の電気柵の正面図である。
【図３】請求項１に記載の電気柵の断面図である。
【図４】請求項２に記載の電気柵の断面図である。
【図５】請求項３に記載の電気柵の断面図である。
【図６】支柱が一直線に並んでいない場合の電気柵ネット２の張設を示した斜視図である。
【図７】請求項１に記載の電気柵に、防草シートを組み合わせて設置した場合の断面図である。
【図８】２本の外径の異なる金属製パイプを組み合わせた支柱の断面図である。
【符号の説明】
【００２４】１  支柱、  １ａ  金属製パイプ、  １ｂ  絶縁物製キャップ、  １ｃ  長方形の板、  １ｄ  肉厚パイプ、  １ｅ  金属製パイプ、  ２  電気柵ネット、  ２ａ  導電帯、  ２ｂ  絶縁帯、  ２ｃ  ロープ、  ２ｄ  導電性ロープ、  ２ｅ  上部導電帯、  ２ｆ  下部導電帯、  ２ｇ  補強帯、  ２ｈ  ロープ、  ３  衝撃高圧電源、  ４  留め具、  ５  接地極、  ６  寒冷紗、  ７  草、  ８  金網、  ９ａ  内側の防草シート、  ９ｂ  外側の防草シート、  １０  直交クランプ、  １１  棒体
【図１】
0006319283.tif 000002
【図２】
0006319283.tif 000003
【図３】
0006319283.tif 000004
【図４】
0006319283.tif 000005
【図５】
0006319283.tif 000006
【図６】
0006319283.tif 000007
【図７】
0006319283.tif 000008
【図８】
0006319283.tif 000009